(57)【要約】【課題】特典遊技状態での突然確変大当たり時に遊技者が喪失感を感じ難くする。【解決手段】図柄制御装置１４ａが選択する演出表示は、突然確変大当たり状態の生起を連想させる第１演出表示と、突然確変大当たり状態の生起を連想させない第２演出表示と、を含む。図柄制御装置１４ａは、通常遊技状態において当否抽選の結果が突然確変大当たりを生起させる当選であったとき、突然確変大当たり状態の実行中に第１演出表示を可変表示装置３４に表示させ、また、確変大当たり後の特典遊技状態において当否抽選の結果が突然確変大当たりを生起させる当選であったとき、突然確変大当たり状態の実行中に第２演出表示を可変表示装置３４に表示させる。【選択図】図５
2007151898.tif 000002
【特許請求の範囲】
【請求項１】
予め定められた条件の成立により電子的な抽選を実行する抽選手段と、
前記抽選手段による抽選結果に応じて、予め定められた複数の遊技状態から一つの遊技状態を選択して実行する遊技状態制御手段と、
表示装置と、
前記抽選手段の抽選結果に応じて、予め定められた所定数の識別表示の複数の配列パターンの中から一つの配列パターンを選択し、前記識別表示を変動表示させた後に前記一つの配列パターンを確定表示として前記表示装置に停止表示させると共に、予め定められた複数の演出表示の中から所定の演出表示を選択して前記表示装置に表示させる表示制御手段と、を備え、
前記遊技状態制御手段によって選択される遊技状態は、前記抽選手段による抽選結果が非当選の場合に実行される通常遊技状態と当選の場合に実行される当選遊技状態とを含み、
前記当選遊技状態は、第１当選遊技状態と第２当選遊技状態とを含み、
前記第１当選遊技状態では、前記遊技状態制御手段は、前記通常遊技状態よりも多くの遊技媒体を獲得する機会を遊技者に付与する第１当選状態を生起し、この第１当選状態の終了後に、前記抽選手段による抽選の当選確率を前記通常遊技状態における確率よりも高確率に設定し、且つ前記抽選手段による抽選結果が非当選であってもこの高確率状態を継続して維持する特典遊技状態を生起し、
前記第２当選遊技状態では、前記遊技状態制御手段は、前記通常遊技状態よりも多くの遊技媒体を獲得する機会を遊技者に付与する第２当選状態を生起し、この第２当選状態の終了後に前記特典遊技状態を生起し、
前記第１当選状態は、前記第２当選状態よりも多くの遊技媒体が獲得可能に設定され、
前記表示制御手段が選択する演出表示は、前記第２当選状態の生起を連想させる第１演出表示と、前記第２当選状態の生起を連想させない第２演出表示と、を含み、
前記表示制御手段は、前記通常遊技状態において前記抽選結果が第２当選遊技状態を生起させる当選であったとき、前記第２当選状態の実行中に前記第１演出表示を前記表示装置に表示させ、また、前記特典遊技状態において前記抽選結果が第２当選遊技状態を生起させる当選であったとき、前記第２当選状態の実行中に前記第２演出表示を前記表示装置に表示させる
ことを特徴とする遊技機。
【請求項２】
請求項１に記載の遊技機であって、
前記表示制御手段は、前記通常遊技状態において前記抽選結果が第２当選遊技状態を生起させる当選であったとき、前記確定表示として第１当選表示を選択し、また、前記特典遊技状態において前記抽選結果が第２当選遊技状態を生起させる当選であったとき、前記確定表示として第２当選表示を選択し、
前記第２当選表示に属する配列パターンの数は、前記第１当選表示に属する配列パターンの数よりも多く設定されている
ことを特徴とする遊技機。
【請求項３】
請求項１又は請求項２に記載の遊技機であって、
前記表示制御手段が選択する演出表示は、前記第２演出表示と同じ内容であって前記所定の識別表示の変動開始から停止までの間に表示される予告演出表示を含む
ことを特徴とする遊技機。
【発明の詳細な説明】
【技術分野】
【０００１】
本発明は、パチンコ遊技機やスロット遊技機などの遊技機に関する。
【背景技術】
【０００２】
一般に、パチンコ遊技機等の弾球遊技機には、ハンドル操作によって遊技球を発射する発射装置が設けられ、この発射装置によって発射された遊技球が特定入賞口（始動入賞口）を通過するのに応じて、表示装置に表示される特別図柄の変動（電子的な当否抽選）が開始される。そして、当否抽選の結果当選した場合には、表示装置に所定の特別図柄の組み合わせが表示され、遊技者にとって有利な大当たり遊技状態が生起される。大当たり遊技状態では、特別入賞口（大入賞口）が開閉して遊技球を受け入れるので、遊技者は多くの賞球を獲得することができる。
【０００３】
【特許文献１】特開２００５−１１０７５７号公報
【発明の開示】
【発明が解決しようとする課題】
【０００４】
ところで、最近の弾球遊技機の中には、大当たりの態様としていわゆる通常大当たりと確変大当たりという２種類の大当たりが設定されているものがあり、さらに確変大当たりの態様として、いわゆる通常確変大当たりと突然確変大当たりという２種類の確変大当たりが設定されているものがある。
【０００５】
通常確変大当たり及び突然確変大当たりでは、特別入賞口の開閉により通常遊技状態よりも多くの遊技媒体を獲得する機会を遊技者に付与する通常確変大当たり状態及び突然確変大当たり状態がそれぞれ生起され、その後、次の当選又は予め定めた抽選回数の終了のうち何れか早い方が成立するまでの間、当否抽選の当選確率が通常遊技状態における確率よりも高確率となる特典遊技状態が生起される。但し、通常確変大当たり状態と突然確変大当たり状態とでは特別入賞口の総開放時間が大きく相違し、通常確変大当たり状態の方が突然確変大当たり状態よりも多くの賞球を獲得する機会が付与される。
【０００６】
このように、通常確変状態と比較してすぐに終了する突然確変大当たり遊技状態は賞球の獲得数が少ないため、突然確変大当たり遊技状態となっていることが比較的認識され難く、且つ未消化の特典遊技状態があるにも拘わらず突然確変に当選した遊技者は、突然確変大当たりを単なる特典遊技状態の継続のように捉えてしまう可能性がある。このため、全て消化しきれていない特典遊技状態での突然確変大当たりが遊技者に対して喪失感を与えてしまう可能性が生じる。
【０００７】
本発明は、上記課題を解決するためになされたものであり、その目的は、特典遊技状態での突然確変大当たり時に遊技者が喪失感を感じ難い遊技機を提供することにある。
【課題を解決するための手段】
【０００８】
上記目的を達成するため、本発明に係る遊技機は、予め定められた条件の成立により電子的な抽選を実行する抽選手段と、抽選手段による抽選結果に応じて、予め定められた複数の遊技状態から一つの遊技状態を選択して実行する遊技状態制御手段と、表示装置と、抽選手段の抽選結果に応じて、予め定められた所定数の識別表示の複数の配列パターンの中から一つの配列パターンを選択し、識別表示を変動表示させた後に選択した一つの配列パターンを確定表示として表示装置に停止表示させると共に、予め定められた複数の演出表示の中から所定の演出表示を選択して表示装置に表示させる表示制御手段と、を備える。
【０００９】
遊技状態制御手段によって選択される遊技状態は、抽選手段による抽選結果が非当選の場合に実行される通常遊技状態と当選の場合に実行される当選遊技状態とを含む。当選遊技状態は、第１当選遊技状態（通常確変大当たり遊技状態）と第２当選遊技状態（突然確変大当たり遊技状態）とを含む。
【００１０】
第１当選遊技状態（通常確変大当たり遊技状態）では、遊技状態制御手段は、通常遊技状態よりも多くの遊技媒体を獲得する機会を遊技者に付与する第１当選状態（通常確変大当たり状態）を生起し、この第１当選状態（通常確変大当たり状態）の終了後に、抽選手段による抽選の当選確率を通常遊技状態における確率よりも高確率に設定し、且つ抽選手段による抽選結果が非当選であってもこの高確率状態を継続して維持する特典遊技状態を生起する。第２当選遊技状態（突然確変大当たり遊技状態）では、遊技状態制御手段は、通常遊技状態よりも多くの遊技媒体を獲得する機会を遊技者に付与する第２当選状態（突然確変大当たり状態）を生起し、この第２当選状態（突然確変大当たり状態）の終了後に特典遊技状態を生起する。第１当選状態（通常確変大当たり状態）は、第２当選状態（突然確変大当たり状態）よりも多くの遊技媒体が獲得可能に設定されている。
【００１１】
表示制御手段が選択する演出表示は、第２当選状態（突然確変大当たり状態）の生起を連想させる第１演出表示と、第２当選状態（突然確変大当たり状態）の生起を連想させない第２演出表示と、を含む。表示制御手段は、通常遊技状態において抽選結果が第２当選遊技状態（突然確変大当たり遊技状態）を生起させる当選であったとき、第２当選状態（突然確変大当たり状態）の実行中に第１演出表示を表示装置に表示させ、また、特典遊技状態において抽選結果が第２当選遊技状態（突然確変大当たり遊技状態）を生起させる当選であったとき、第２当選状態（突然確変大当たり状態）の実行中に第２演出表示を表示装置に表示させる。
【００１２】
上記構成では、通常遊技状態から第２当選遊技状態（突然確変大当たり遊技状態）が生起されるときは、第２当選状態（突然確変大当たり状態）の実行中に第２当選状態（突然確変大当たり状態）の生起を連想させる第１演出表示が表示装置に表示される。従って、通常遊技を行っていた遊技者は、表示装置の第１演出表示を視ることによって、第２当選遊技状態（突然確変大当たり遊技状態）が生起されたことを容易に認識することができる。
【００１３】
一方、特典遊技状態から第２当選遊技状態（突然確変大当たり遊技状態）が生起されるときは、第２当選状態（突然確変大当たり状態）の実行中に第２当選状態（突然確変大当たり状態）の生起を連想させない第２演出表示が表示装置に表示される。従って、特典遊技を行っていた遊技者は、表示装置を視ても第２当選遊技状態（突然確変大当たり遊技状態）が生起されたことに容易に気づかず、場合によっては、遊技者に対して、当初の第１当選遊技状態又は第２当選遊技状態における特典遊技状態が単に継続して行われているとの錯覚を与える。
【００１４】
従って、特典遊技状態から第２当選遊技状態（突然確変大当たり遊技状態）が生起された時に、遊技者に対して喪失感を与えてしまうことを軽減することができる。
【００１５】
表示制御手段は、通常遊技状態において抽選結果が第２当選遊技状態を生起させる当選であったとき、確定表示として第１当選表示を選択し、また、特典遊技状態において抽選結果が第２当選遊技状態を生起させる当選であったとき、確定表示として第２当選表示を選択してもよく、第２当選表示に属する配列パターンの数は、第１当選表示に属する配列パターンの数よりも多く設定されていてもよい。
【００１６】
上記構成では、通常遊技状態から第２当選遊技状態（突然確変大当たり遊技状態）が生起されるときには、表示装置に第１当選表示が表示され、特典遊技状態から第２当選遊技状態（突然確変大当たり遊技状態）が生起されるときには、表示装置に第２当選表示が表示される。また、第２当選表示に属する配列パターンの数は、第１当選表示に属する配列パターンの数よりも多く設定されている。すなわち、第２当選表示の表示態様の種類は、第１当選表示の表示態様の種類よりも多い。このため、遊技者にとって、第２当選表示と第２当選遊技状態（突然確変大当たり遊技状態）の生起とを結び付けることは、第１当選表示と第２当選遊技状態（突然確変大当たり遊技状態）の生起とを結び付けることに比べて難しく、第２当選表示が直ぐに第２当選遊技状態（突然確変大当たり遊技状態）の生起を認識させない可能性が高い。
【００１７】
従って、特典遊技状態から第２当選遊技状態（突然確変大当たり遊技状態）が生起された時に、遊技者に対して喪失感を与えてしまうことをさらに軽減することができる。
【００１８】
また、表示制御手段が選択する演出表示は、第２演出表示と同じ内容であって所定の識別表示の変動開始から停止までの間に表示される予告演出表示を含んでもよい。
【００１９】
上記構成では、遊技者は、第２演出表示を視た際に予告演出表示と錯覚し易いため、特典遊技状態から第２当選遊技状態（突然確変大当たり遊技状態）が生起された時に、遊技者に対して喪失感を与えてしまうことをさらに軽減することができる。
【００２０】
なお、第２演出表示と同じ内容とは、完全に同一の演出表示である場合のほか、一見した場合に同一視され得るほど共通点が多く相違点が少ない場合を含む。
【発明の効果】
【００２１】
本発明によれば、特典遊技状態から第２当選遊技状態（突然確変大当たり遊技状態）が生起された際に、遊技者に対して喪失感を与えることを軽減することができる。
【発明を実施するための最良の形態】
【００２２】
以下、図面を参照して、遊技機設置営業店等の場所に設置され、遊技球の供給に基づいて遊技者に遊技を行わせる遊技機の構成及び動作について説明する。
【００２３】
なお、本実施形態では、図１に示すような、現金等の対価を支払って遊技機設置営業店から遊技者が購入したプリペイドカードをプリペイドカードユニット（以下、ＣＲユニットと称す）１に読み込ませることにより、遊技に使用する遊技球を借り受ける形態下で遊技者が遊技する遊技機の構成及び動作について説明する。より具体的には、この遊技機は、図３に示すように、借り受けた遊技球が予め定められた特定入賞口（スタートチャッカー、始動入賞口）２に受け入れられ入賞状態になった時に電子的な当否抽選を行い、抽選の結果が当選の場合には、通常の遊技状態から遊技者にとって有利な遊技状態となるように、特別入賞口（大入賞口）３を遊技球が入賞し易い状態にする弾球遊技機（以下、遊技機と称す）である。但し、本発明は、本実施形態の遊技機に拘らず、例えば、風俗営業の適正化等の規制及び業務の適正化等に関する法律（風営適正化法）及び同法施行規則において、パチンコ遊技機又は回胴式遊技機として区分されているものについても適用可能である。
【００２４】
［遊技機の構造概略］
本実施形態の遊技機は、外部的構造として、外枠（木枠）４、本体部材（本体）５、開口枠扉６、遊技盤７、球受皿付き扉８、球受皿９、回動式操作ハンドル（球発射ハンドル）１０、球貸し関係操作部１１、及び球受皿９用の貯留球排出操作ボタン１２等をその前面側に備えている。また、この遊技機は、内部的構造として、主制御装置１３、副制御装置１４、遊技球払出装置１５、球貸信号制御装置１６、可動物制御装置１７、回収通路部材１８、貯留タンク１９、遊技球を払い出すときに用いる通路部材（賞球口）２０、及びその他、電源供給装置２１、発射制御装置２２、発射駆動装置２３等をその後面側に備えている。
【００２５】
以下、図１〜図５を参照して、本実施形態の遊技機の構成を、外部的構造、内部的構造、遊技領域の構成、及び電気的構成の順に詳しく説明する。
【００２６】
〔外部的構造〕
始めに、本実施形態の遊技機の外部的構造について説明する。
【００２７】
前記外枠４は、遊技機設置営業店に設けられた設置場所（島設備等）へと固定させるための縦長方形状から成る木製の枠部材である。
【００２８】
前記本体部材５は、外枠４の内部に備えられ、ヒンジ部２６を介して外枠４に回動自在に装着された縦長方形状の遊技機基軸体となる部材である。また、本体部材５は、枠状に形成され、内側に空間部を有している。
【００２９】
前記開口枠扉６は、ロック機能２５付きで且つ開閉自在となるように遊技機の前面側となる本体部材５の前面に対しヒンジ部２６を介して装着され、枠状に構成されることでその内側を開口部２７とした扉部材である。なお、この開口枠扉６には、開口部２７に対向してガラス製又は樹脂製の透明板部材２８が設けられ、さらに、開口部２７近傍には、電飾２９やスピーカ３０が取り付けられている。
【００３０】
前記遊技盤７は、その盤面に遊技領域３１を有し、本体部材５の空間部に臨むように、所定の固定部材を用いて本体部材５に着脱自在に装着されている。なお、遊技領域３１は、遊技盤７を本体部材５に装着した後、開口部２７から観察することができる。
【００３１】
前記球受皿付き扉８は、遊技機前面において本体部材５の下側に対して、ロック機能付きで且つ開閉自在となるように装着された扉部材である。なお、本実施形態では、球受皿付き扉８には以下の部材が取り付けられている。
（１）複数の遊技球が貯留可能で且つ、発射駆動装置２３へと遊技球を案内させる通路が設けられた球受皿９。
（２）発射駆動装置２３へと案内された遊技球を遊技盤７の盤面に設けられた遊技領域３１へと打ち出す操作を行う、遊技球の発射停止ボタン１０ａを備えた回動式操作ハンドル１０。
（３）プリペイドカード読み込み処理関係、及び遊技者が借り受ける遊技球（以下、貸球と称す）の貸し出し処理関係の指示を行うボタンを備えた球貸し関係操作部１１。
（４）球受皿９に貯留させた遊技球を遊技者が遊技球収集容器（俗称、ドル箱）へと排出させるための球受皿９用の貯留球排出操作ボタン１２。
【００３２】
〔内部的構造〕
次に、本実施形態の遊技機の内部的構造について説明する。
【００３３】
前記主制御装置１３は、本発明に係る抽選手段、遊技状態制御手段、及び表示制御手段として機能し、本体部材５若しくは遊技盤７又はこれらに備え付けられる支持部材等を介して設けられている。この主制御装置１３は、電気的な遊技制御の処理を行い、主要な処理情報を生成する。
【００３４】
前記副制御装置１４は、本発明に係る遊技状態制御手段及び表示制御手段として機能し、本体部材５若しくは遊技盤７又はこれらに備え付けられる支持部材等を介して設けられ、主制御装置１３が生成した処理情報に従って、所定の出力態様処理を実行させる制御を行う装置である。なお、詳しくは後述するが、副制御装置１４は、図柄制御装置１４ａ、ランプ制御装置１４ｂ、音声制御装置１４ｃ、及び払出制御装置１４ｄを有する。
【００３５】
前記遊技球払出装置１５は、予め定められた入賞条件が成立するのに応じて遊技利益として所定数の遊技球を払出す（以下、賞球と称す）駆動源を備えた装置である。
【００３６】
前記球貸信号制御装置１６は、プリペイドカード読み込み処理関係、及び貸球の貸し出し処理関係の制御を行う装置である。
【００３７】
前記可動物制御装置１７は、主制御装置１３が生成した処理情報に従って、遊技領域３１内に配設された複数の可動物（例えば、可動片４４、可動扉４５、入賞領域振分物、演出用移動物等）を作動状態にするための装置であり、複数の可動物に対応して個別に設けられている。なお、本実施形態の可動物制御装置１７は、可動片駆動装置、可動扉駆動装置、入賞領域振分駆動装置、及び演出用移動物駆動装置を有する。
【００３８】
前記回収通路部材１８は、回動式操作ハンドル１０によって遊技盤７の盤面に設けられた遊技領域３１へと打ち出された遊技球を遊技盤７の裏側へと回収する通路（俗称、集合樋）となる部材である。
【００３９】
前記遊技球を払い出す時に用いる通路部材２０は、球受皿９に賞球又は貸球を案内する通路となる部材である。
【００４０】
前記電源供給装置２１は、電源が投入されるのに応じて遊技機内の各制御装置に対して電力を供給する装置である。
【００４１】
前記発射制御装置２２は、回動式操作ハンドル１０を介して遊技球を遊技領域３１へと打ち出す操作が行われた時に、発射作動間隔（例えば、１分間に遊技球を１００球発射させるようにする等）の制御と、回動式操作ハンドル１０の回動量に応じた遊技球の発射強度の調整を行う装置である。
【００４２】
前記発射駆動装置２３は、発射制御装置２２による打ち出し制御に応じて、遊技球の打ち出し駆動部を作動させ、遊技球を遊技領域３１へと打ち出す装置である。
【００４３】
〔遊技領域の構成〕
次に、本実施形態の遊技機の遊技領域３１の構成について説明する。
【００４４】
前記遊技領域３１は、遊技球を滑走させるガイドレール３２と遊技球規制レール３３によって略円形状となるように区画形成され、回動式操作ハンドル１０によって打ち出された遊技球の移動範囲を規制する領域である。なお、遊技球規制レール３３は前記ガイドレール３２に連続的に接続するように構成され、ガイドレール３２と遊技球規制レール３３は全体として螺旋をなして遊技盤７の盤面に配設されている。
【００４５】
また、遊技領域３１内には、可変表示装置（特別図柄表示装置）３４、ＬＥＤ（Light Emitting Diode）表示装置３５、ステージ３６、所定入賞口（一般入賞口）３７、所定通過口（スルーチャッカー）３８，４６、アウト口３９、遊技釘（図示せず）、風車４０、特定保留数表示ランプ４１、通過保留数表示ランプ４２、演出用表示ランプ４３等が設けられている。
【００４６】
前記可変表示装置３４は、予め定められた条件が成立（例えば、予め定められた入賞口への遊技球の入賞等）するのに応じて実行される電子的な当否抽選の結果に従って、識別情報としての識別表示情報（例えば、図柄、キャラクタ、背景画像等）を可変表示させた後に停止表示する表示制御装置である。なお、この可変表示装置３４には、液晶表示装置（Liquid Crystal Display）、ドラム式表示装置、ドットマトリクス表示装置、７セグ表示装置、ＥＬ（ElectroLuminescence）表示装置等の表示装置を適用することができる。
【００４７】
前記ＬＥＤ表示装置３５は、遊技者への様々な情報をＬＥＤにより表示する装置であり、例えば、予め定められた条件が成立（例えば、予め定められた通過口への遊技球の通過等）するのに応じて実行される電子的な当否抽選の結果に従って、識別情報としての識別点灯情報をＬＥＤにより可変表示させた後に停止表示する。
【００４８】
前記ステージ３６は、可変表示装置３４の下方において遊技球を一時的に滞在状態とし、その後、遊技球の落下を許容する踊り場部を備えた構造物である。
【００４９】
前記所定入賞口３７は、遊技領域３１内における適宜な位置に複数設けられ、落下してくる遊技球を受け入れる開口部を備えた構造物である。なお、特定入賞口２及び特別入賞口３もこの所定入賞口３７に含まれる。
【００５０】
ここで、前記特定入賞口２とは、複数の入賞口のいずれかであって、入賞口の開口範囲の拡縮を行わせる電動式の可動片４４を備え、遊技球が入賞口に入賞するのに応じて、可変表示装置３４に識別表示情報を可変表示させると共に、遊技者に賞球を獲得させる入賞口である。また、前記特別入賞口３とは、複数の入賞口のいずれかであって、入賞口を露出させる開口状態と入賞口を閉鎖する閉口状態を生成する電動式の可動扉４５を備え、遊技球が入賞口に入賞するのに応じて、他の入賞口と比較して多くの賞球を遊技者に獲得させる入賞口である。なお、以下では、特定入賞口２及び特別入賞口３以外の複数の所定入賞口３７をその他入賞口３７と称する。
【００５１】
前記所定通過口３８，４６は、遊技領域３１内における適宜な位置に所定数設けられ、落下してくる遊技球を通過させるゲートを備えた構造物である。
【００５２】
前記アウト口３９は、所定入賞口３７のいずれにも入ることがなかった遊技球を集束する位置に設けられた遊技球の回収開口部である。
【００５３】
前記遊技釘は、遊技球と接触させることにより遊技球の移動方向を不規則にする、若しくは遊技球の移動方向を規制するために、遊技盤７の盤面の適宜な位置に打ち込まれる複数の棒状部材である。
【００５４】
前記風車４０は、遊技球の接触によって自転可能な回転部材である。
【００５５】
前記特定保留数表示ランプ４１は、前記特定入賞口２への入賞後の可変表示開始に係る保留状態を点灯又は消灯により報知する発光装置である。
【００５６】
前記通過保留数表示ランプ４２は、前記所定通過口３８への通過達成後の可変表示開始に係る保留状態を点灯又は消灯により報知する発光装置である。
【００５７】
前記演出用表示ランプ４３は、電源投入後の遊技状態の変化に応じて多彩な点灯態様とする発光装置である。
【００５８】
〔電気的構成〕
次に、本実施形態の遊技機の電気的構成について説明する。
【００５９】
本実施形態となる遊技機は、電気的構成として、ＣＲユニット１、主制御装置１３、副制御装置１４、球貸信号制御装置１６、可動物制御装置１７、電源供給装置２１、発射制御装置２２、発射駆動装置２３、検知センサ４７、集中管理装置４８等を備える。なお、ＣＲユニット１、球貸信号制御装置１６、可動物制御装置１７、電源供給装置２１、発射制御装置２２、及び発射駆動装置２３の構成は上述の通りであるので、以下ではその説明を省略する。
【００６０】
前記主制御装置１３は、ＣＰＵ（Central Processing Unit：中央命令処理部）１３ａ、予め定められた制御プログラム（コンピュータプログラム）を格納するＲＯＭ（Read Only Memory：書換不可記憶部）１３ｂ、生成された処理情報の一時記憶及び記憶した情報の削除を行うＲＡＭ（Random Access Memory：書換可能記憶部）１３ｃ、周期的な信号を発生させる周波数発生回路部１３ｄ等により構成され、遊技機内における主要な情報処理を行うと共に、副制御装置１４に入力する処理情報を生成する装置である。
【００６１】
前記副制御装置１４は、図柄制御装置１４ａ、ランプ制御装置１４ｂ、音声制御装置１４ｃ、及び払出制御装置１４ｄにより構成され、主制御装置１３が生成した処理情報に従って所定の出力態様処理を行う。なお、副制御装置１４は、出力態様処理毎の装置として構成しても、各出力態様処理を複数組み合わせて構成してもよい。また、副制御装置１４を構成する各制御装置は、処理情報に従って独立して処理を実行可能なように、内部にＣＰＵ，ＲＯＭ，ＲＡＭを備える。
【００６２】
ここで、前記図柄制御装置１４ａは、主制御装置１３が生成した処理情報に従って、ビデオ・ディスプレイ・プロセッサ（ＶＤＰ）５０を介して可変表示装置３４、又はＬＥＤ表示装置３５を制御することにより、識別点灯情報又は識別表示情報を変動表示させた後に停止表示する制御を行う装置である。
【００６３】
前記ランプ制御装置１４ｂは、主制御装置１３が生成した処理情報に従って、開口枠扉６の電飾２９（演出報知ランプ、払出ランプ、トラブルランプを含む）や遊技領域３１内に設けられた演出用表示ランプ（電飾）４３、又は特定保留数表示ランプ４１、通過保留数表示ランプ４２等を点灯制御する装置である。なお、特定保留数表示ランプ４１又は通過保留数表示ランプ４２が表す情報は可変表示装置３４による識別表示情報として報知してもよい。
【００６４】
前記音声制御装置１４ｃは、主制御装置１３が生成した処理情報に従ってスピーカ３０やサウンドプロセッサ等の音声発生装置５１を制御して音声を発生させる装置である。
【００６５】
前記払出制御装置１４ｄは、主制御装置１３が生成した処理情報に従って、遊技球払出装置１５により所定数の賞球を払出す制御を行う装置である。また、前記払出制御装置１４ｄは、主制御装置１３が生成した処理情報に従って、球貸信号制御装置１６を介して、ＣＲユニット１に読み込ませたプリペイドカードに格納したデータ情報を参照して、所定数の貸球を払出す制御を行うと共に、貸球の払出し個数を計数して管理をする装置である。
【００６６】
前記検知センサ４７は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより構成される。そして、各検知センサはそれぞれ、特定入賞口２、特別入賞口３、入賞特定領域（例えば、特別入賞口３の略中央部より右側領域）、所定通過口３８，４６、その他入賞口３７、賞球口２０、及び球詰まりが発生し易い球通路部材４９の球通路４９ａ近傍に設けられ、各場所における遊技球の通過の有無を検知する。
【００６７】
前記集中管理装置４８は、主制御装置１３が生成した処理情報を遊技機の外部において管理する装置である。
【００６８】
［遊技機の動作］
次に、本実施形態の遊技機の主な動作を、主制御装置１３及び副制御装置１４の動作に分けて説明する。
【００６９】
〔主制御装置の動作〕
始めに、主たる遊技制御を行う主制御装置１３の動作について説明する。
【００７０】
前記電源供給装置２１は、電源が投入されるのに応じて、遊技機の電気的な制御装置に対し電力を供給する。そして、主制御装置１３のＣＰＵ１３ａは、電源が供給されると、初期設定として下記必要確認事項のチェックを行い、遊技機が適正な起動状態となっているか否かをチェックする。
【００７１】
具体的には、始めに、主制御装置１３のＣＰＵ１３ａは、「ＲＡＭ１３ｃに記憶されている処理情報をクリアするスイッチ（図示せず）はオン状態であるか否か」を判断する。そして、スイッチがオン状態である場合、主制御装置１３のＣＰＵ１３ａは、不要残存データとなる賞球情報や遊技履歴情報等、ＲＡＭ１３ｃに記憶されている処理情報を削除し、所定の処理情報をＲＡＭ１３ｃ内に正常に記憶し得るか否かをチェックする。チェックの結果、正常に記憶し得るとのチェック結果となった場合、主制御装置１３のＣＰＵ１３ａは、メインルーチン処理への移行を許可し、副制御装置１４に対して通知する主制御起動開始の処理情報等を生成する。
【００７２】
一方、スイッチがオン状態でない場合には、主制御装置１３のＣＰＵ１３ａは、「バックアップフラグを設定しているか否か」の判断を行い、バックアップフラグが設定されている場合、前述と同様のチェック及びメインルーチン処理への移行許可等を行う。逆に、バックアップフラグが設定されていない場合、主制御装置１３のＣＰＵ１３ａは、「ＲＡＭ１３ｃに記憶されている処理情報（記憶領域の内容）が壊れていないか否か」を判断し、ＲＡＭ１３ｃに記憶されている処理情報が「壊れていない」と判断した場合、前述と同様のチェック及びメインルーチンへの移行許可等を行う。
【００７３】
一方、ＲＡＭ１３ｃに記憶されている処理情報が「壊れている」と判断した場合には、主制御装置１３のＣＰＵ１３ａは、電源投入時前に不本意な停電、故障、処理ミス等のエラーが生じていたものと判断し、エラー解除の復帰処理が行われた後に、エラーが発生した電源断時点からの処理を始める制御を行う。
【００７４】
ここで、本実施形態におけるメインルーチン処理は、主制御装置１３に備えられたＲＯＭ１３ｂに予め格納された制御プログラム（コンピュータプログラム）により実行される。そして、主制御装置１３のＣＰＵ１３ａは、メインルーチン処理として、乱数更新処理、入力検知受信処理、入力管理処理、異常監視処理、特別図柄制御処理、普通図柄制御処理、ランプ管理処理、準備球払出処理、外部情報管理処理、及び出力管理処理を行う。
【００７５】
なお、このメインルーチン処理とは、周波数発生回路部１３ｄが生成する周期的な信号に基づく分周設定により定期的なタイミングパルス（例えば４ミリ秒）を生成し、生成されたタイミングパルスに合わせて、ＣＰＵ１３ａが、前記各処理の読み込み更新、又は書き込み記憶、又は該記憶の削除等を含む制御実行処理を繰り返し実行する基本ルーチンのことである。
【００７６】
以下、前記メインルーチン処理の各処理のうち乱数更新処理、入力検知受信処理、特別図柄制御処理、普通図柄制御処理、及び出力管理処理について詳しく説明する。
【００７７】
『乱数更新処理』
前記乱数更新処理は、抽選遊技処理と複数の所定数値群のグループから成る乱数生成範囲とを対応するように個別の種類毎に設定し、この設定に基づいて乱数を生成する処理である。なお、本実施形態における乱数とは、抽選遊技処理毎に応じた乱数生成範囲を設定した乱数生成プログラム（例えば、当否判定用の乱数生成範囲は０〜６９９、変動パターン決定用の乱数生成範囲は０〜３９、表示図柄決定用の乱数生成範囲は０〜１１等）に従って、タイミングパルス（例えば、４ミリ秒）に応じて前記乱数生成範囲内において数値を＋１ずつ更新した時の数値を意味する。また、この乱数更新処理は、主制御装置１３のＲＯＭ１３ｂに格納される制御プログラムによるソフトウェア的な処理に限られず、外部に設けられた物理的装置となる乱数発生手段に基づいて乱数の更新処理を行わせ、この乱数を主制御装置１３のＣＰＵ１３ａに取り込んで乱数抽出の制御処理をさせるようにしてもよい。
【００７８】
『入力検知受信処理』
前記入力検知受信処理は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより生成された入力情報があるか否かをタイミングパルス（例えば、４ミリ秒）に応じて監視、及びセンサからの入力情報を受信する処理である。
【００７９】
『特別図柄制御処理』
前記特別図柄制御処理は、特定入賞口２の近傍に設けられた特定入賞球検知センサ４７ａから入力情報を受信するのに応じて電子的な当否抽選を行い、当選の場合には当選遊技状態（大当たり遊技状態）を生起し、非当選の場合には通常遊技状態を生起する処理である。すなわち、非当選が連続している間は通常遊技状態が継続して生起され、当選となったときに大当たり遊技状態が生起される。また、大当たり遊技状態として、通常大当たり遊技状態と、通常確変大当たり遊技状態（第１当選遊技状態）と、突然確変大当たり遊技状態（第２当選遊技状態）とが設定されている。大当たり遊技状態では、通常遊技状態よりも遊技者にとって有利な遊技状態となるように特別入賞口３に遊技球が入賞し易くする処理を行なわれ、係る処理により、通常遊技状態よりも多くの賞球を獲得する機会が遊技者に付与される。さらに、通常大当たり遊技状態と通常確変大当たり遊技状態では、突然確変遊技状態よりも多くの賞球を獲得する機会が遊技者に付与される。具体的には、特別入賞口３の総開放時間が、通常大当たり遊技状態及び通常確変大当たり遊技状態よりも突然確変遊技状態の方が短く設定されている。また、この特別図柄制御処理では、主制御装置１３のＣＰＵ１３ａは、可変表示装置３４で識別表示情報（以下、特別図柄と称す）を表示制御することに関係する処理も行う。
【００８０】
ここで、特別図柄とは、前記特定入賞口２への遊技球の入賞に基づく前記当否抽選の結果を可変表示する複数の識別情報（例えば、左・中・右の３つの図柄）である。抽選結果が当選の場合には、複数の識別情報が、予め定められた特定の組み合わせで停止した表示態様（例えば、左・中・右の３つの図柄が全て同じ図柄で揃った状態、又は特定の配列パターンで停止した状態）となり、これにより、遊技者にとって有利な遊技状態（大当たり遊技状態）に移行したことが報知される。係る遊技状態では、通常遊技状態と比較して短時間に多くの賞球が獲得可能な状態が連続的に発生する。一方、抽選結果が外れの場合には、複数の識別情報が、予め定められた特定の組み合わせ以外で停止した表示態様（例えば、左・中・右の３つの図柄のうち少なくとも一つが他と異なっている状態、又は特定の配列パターンに対し少なくとも一つが異なっている状態）となり、これにより、通常遊技状態が継続していることが報知される。
【００８１】
また、前記特別図柄における可変表示とは、予め設定された、互いに異なる複数種類の特別図柄（例えば、「１」〜「９」の数字及び「Ａ」，「Ｂ」，「Ｃ」のアルファベット文字の１２種類）を、所定速度で周期的に順次表示させる態様を、複数の表示領域（例えば、左・中・右等の３つ）にて行う表示方法である。以下、可変表示及びこれに付随する背景変動（キャラクタ表示を含む）における演出を報知演出と称する。
【００８２】
この特別図柄制御処理では、主制御装置１３のＣＰＵ１３ａは、特定入賞口２への遊技球の入賞を契機として、乱数抽出による予め定められた数値の比較に応じた当否抽選、及び該抽選結果に係る表示制御を行うために、当否判定（抽選）用となる有利な遊技状態に移行させるか否かの当否用の乱数と、可変表示装置３４にて当否の判定結果に応じた可変表示となる報知演出をするための変動パターン決定用の乱数と、同じく可変表示装置３４にて当否の判定結果に応じた停止表示の態様とするための特別図柄決定用の乱数とを乱数更新処理にて生成する。そして、主制御装置１３のＣＰＵ１３ａは、生成した乱数を個別に読み出し、取得乱数として記憶手段に記憶する。
【００８３】
また、この特別図柄制御処理では、主制御装置１３のＣＰＵ１３ａは、乱数の取得時点で既に特別図柄制御による報知演出処理等の先行制御処理が行われていないことを条件として記憶させた当否用の取得乱数と、数値振分けデータ群としてテーブルに予め設定されている当否用比較数値とを照合して比較することで当否判定を行い、その結果である当否情報を記憶手段に記憶する。
【００８４】
次に、主制御装置１３のＣＰＵ１３ａは、予めテーブルに当否に基づいて分類してＲＯＭ１３ｂに記憶してある当たり又は外れ用の変動パターン比較用数値と、該記憶された変動パターン決定用の取得乱数とを、記憶手段に記憶した当否情報に応じて照合して比較することにより、変動パターン決定判定を行い、その結果である当たり又は外れ用とする変動パターン情報（パターン番号）を記憶手段に記憶する。
【００８５】
さらに、主制御装置１３のＣＰＵ１３ａは、予めテーブルに当否に基づいて分類して記憶してある当たり又は外れ用から成る停止表示の態様（例えば、左・中・右の並び態様）の特別図柄比較用数値と、該記憶された特別図柄決定用の取得乱数とを、前記記憶した当否情報と当たり又は外れ用とする変動パターン情報に応じて照合して比較することにより、特別図柄決定判定を行い、その結果から得られる複数の特別図柄のそれぞれを個別に停止表示させる、当たり又は外れ用となる特別図柄情報（左・中・右の特別図柄番号）を記憶手段に記憶する。
【００８６】
ここで、変動パターン比較用数値、或いは特別図柄比較用数値を有するテーブルとこれに対応させた取得乱数とに応じて照合して比較することは、当たりの場合は当たり用の比較用数値とこれに対応した取得乱数との組み合わせの一致を判断し、外れの場合は外れ用の比較用数値とこれに対応した取得乱数との組み合わせの一致を判断することにより、合致するものを探し出す処理である。そして、前記合致に応じた当たり又は外れ用の変動パターン番号、或いは当たり又は外れ用の複数の特別図柄番号が記憶手段に記憶される。
【００８７】
なお、前記乱数発生手段による乱数の取得時点において、「特別図柄制御による報知演出処理等の先行制御処理が行われていないことを条件に当否判定を行う」としたが、該契機条件は任意に設計変更可能なものとする。
【００８８】
これまで説明した特別図柄制御処理により、特定入賞口２における入賞後に得られる処理情報として、以下の情報が生成される。
（１）当たり又は外れ用の変動パターン番号。
（２）所定の可変表示領域に対し一時的に停止表示（微動表示を含む）をさせる、当たり又は外れ用の複数の特別図柄番号。
（３）該一時的に停止表示をさせる複数の特別図柄に対して停止表示の態様とさせるための確定停止指示番号。
（４）前記当否判定における当たりの場合の大当たり移行指示番号。
【００８９】
そして、後述する出力管理処理を介して副制御装置１４側へ前記変動パターン番号と複数の特別図柄番号を送信する時に、決定された変動パターンに対応する制御処理実行時間を主制御装置１３のＣＰＵ１３ａにて設定し、カウント演算処理を行わせるタイマを更新する。なお、このタイマによる制御処理実行時間の経過に応じたタイミングで確定停止指示番号と前記当否判定における当たりの場合の大当たり移行指示番号が出力管理処理を介して送信される。
【００９０】
遊技者にとって有利な遊技状態に移行させるか否かは、当否判定用の抽選遊技処理と、０〜１０４７個の「外れ用数値」に通常用当たりと対応付けられた「特別用数値」、及び該通常用当たりよりも有益な当たりとして対応付けられた「第１特殊用数値」及び「第２特殊用数値」を含めた計１０５０個から成る「乱数生成範囲」とを対応するように前記乱数更新処理において設定し、前述した特定入賞口２への遊技球の入賞時に応じたタイミングで更新された数値が乱数として読み出し取得され、該取得乱数が「特別用数値」、「第１特殊用数値」、又は「第２特殊用数値」となるかの当否判定の結果によって決定する。すなわち、該入賞を契機とした１／３５０の抽選確率で当たり判定となる場合に前記移行させる条件が満たされることとなる。
【００９１】
前記「特別用数値」は通常大当たりに対応付けられ、前記「第１特殊用数値」は通常確変大当たりに対応付けられ、前記「第２特殊用数値」は突然確変大当たりに対応付けられている。
【００９２】
また、遊技者にとって有利な遊技状態に移行させるための前記特別図柄の組み合わせ（例えば、左・中・右の特別図柄が同種の並び態様、又は特定の配列パターンでの並び態様）を当たり停止表示の態様とした時、その一歩手前の未確定表示を所謂リーチ演出と称するが、そのようなリーチ演出等を含む、その他の様々な報知演出の内容は、（ａ）前記当否判定された当たり又は外れの結果と、（ｂ）前述した特定入賞口２に対する遊技球の入賞タイミングによって読み出される変動パターン決定用及び特別図柄決定用の取得乱数とに基づいて決定する。すなわち、前記図柄制御装置１４ａを介した可変表示装置３４にてランダムに可変表示し得るようになる。
【００９３】
なお、前記乱数発生手段により乱数の取得時点において、特別図柄制御による報知演出処理等の先行制御処理が行われていた場合には、主制御装置１３のＣＰＵ１３ａは、該制御処理が終了するまで、読み出し結果である特別図柄制御に係る取得乱数又は前記表示態様の実行のための処理情報を記憶手段に記憶し、記憶したことを報知するために、乱数等の格納毎に特定保留数表示ランプ４１を１つずつ点灯すべく、副制御装置１４（ランプ制御装置１４ｂ）側へ送信する点灯命令情報を生成する。
【００９４】
そして、可変表示している変動パターンの変動表示時間の推移を管理すべく設定しているカウント演算による更新をしているタイマに基づいて、主制御装置１３のＣＰＵ１３ａが、停止表示の態様報知時間のタイミングに合わせて、記憶手段に記憶された不必要な取得乱数又は処理情報の削除を行うと共に、確定停止指示番号を送信した時に、特定保留数表示ランプ４１を１つずつ消灯させる。すなわち、副制御装置１４（ランプ制御装置１４ｂ）は、特定保留数表示ランプ４１の点灯処理が行われている場合には、該確定停止指示番号を消灯命令処理情報として用いるようになる。
【００９５】
なお、本実施形態では、前記取得乱数又は処理情報を記憶手段に記憶させる時に、記憶すべき該取得乱数又は処理情報の上限個数（例えば、５個）を予め定めておき、先行制御処理に係る取得乱数又は処理情報の記憶を含めた合計記憶個数が上限の場合、主制御装置１３のＣＰＵ１３ａは、該取得乱数又は処理情報を生成する条件が満たされていても無効条件成立として、記憶する制御は行わず、特別図柄制御の当否判定も行わない。
【００９６】
また、この特別図柄制御処理では、前記有利な遊技状態（大当たり遊技状態）に移行させるか否かの当否判定の結果が通常大当たり又は通常確変大当たりとなり（前記取得乱数が「特別用数値」又は「第１特殊用数値」となり）、この当たり結果を報知するため、前記特別図柄の組み合わせによる予め定められた停止表示の態様を実行する場合において、主制御装置１３のＣＰＵ１３ａは、以下のような処理をする。すなわち、主制御装置１３のＣＰＵ１３ａは、当たりに対応して、前記有利な遊技状態に移行させるために、（ａ）前記特別入賞口３に対して閉口するように備えさせていた可動扉４５を開口状態とし、（ｂ）該開口状態が所定時間（例えば、３０秒）経過するか、又は該特別入賞口３に対して所定個数（例えば、１０個）の遊技球を入賞させるかのいずれかの条件を満たすことを条件に、可動扉４５を閉口制御し、さらに、（ｃ）該開口状態中に入賞した遊技球のいずれかが特別入賞口３内に設けられた入賞特定領域を通過して、入賞特定領域検知センサ４７ｃにて検知されたことを条件として、可動扉４５を連続的に開口状態とし、（ｄ）前述と同様の条件成立の推移にて可動扉４５を開閉することを、所定上限回数（例えば、１６回）が達成されるまで繰り返すよう指示する処理情報を生成する。一方、前記有利な遊技状態（大当たり遊技状態）に移行させるか否かの当否判定の結果が突然確変大当たりとなり（前記取得乱数が「第２特殊用数値」となり）、この当たり結果を報知するため、前記特別図柄の組み合わせによる予め定められた停止表示の態様を実行する場合において、主制御装置１３のＣＰＵ１３ａは、以下のような処理をする。すなわち、主制御装置１３のＣＰＵ１３ａは、当たりに対応して、前記有利な遊技状態に移行させるために、（ｅ）前記特別入賞口３に対して閉口するように備えさせていた可動扉４５を開口状態とし、（ｆ）該開口状態が所定時間（例えば、０．８秒）経過するまで可動扉４５を閉口制御し、さらに、（ｇ）可動扉４５の開口制御を連続的に２回繰り返すよう指示する処理情報を生成する。すなわち、通常大当たり状態及び通常確変大当たり状態は、突然確変大当たり状態よりも多くの賞球が獲得可能に設定されている。なお、上記（ａ）〜（ｄ）の処理情報に従って制御される可動扉４５の状態を第１当選状態と称し、上記（ｅ）〜（ｇ）の処理情報に従って制御される可動扉４５の状態を第２当選状態（突然確変大当たり状態）と称する。
【００９７】
さらに、前記当否用の取得乱数と当否用比較数値のテーブルとの照合による当否判定時に、該取得乱数が前記「第１特殊用数値」又は「第２特殊用数値」による当たりである、と判定された場合には、主制御装置１３のＣＰＵ１３ａは、前記有利な遊技状態の終了後において用いるテーブルを、例えば、当選確率が１／３５０から１／７５となるような当たり発生確率が高いテーブルへと参照テーブルを変更し、その後、前記特定入賞口２への入賞に基づく可変表示の回数が所定回数（例えば、１００００回）となるまでか、又は特別図柄制御に係る当たりと判定される条件が満たされたら、変更前のテーブルに戻すように指示するための処理情報を生成する。このような処理情報で制御される遊技状態を特典遊技状態と称する。
【００９８】
また、前記特典遊技状態における別の実施形態として、１つの変動パターンに係る変動表示時間が通常遊技状態時と比較して短い変動パターンを設定したテーブルを設け、特殊乱数による当たりと判定された場合、主制御装置１３のＣＰＵ１３ａは、該テーブルへと参照テーブルを変更し、前記特定入賞口２への入賞に基づく可変表示の回数が所定回数（例えば、１００００回）となるまでか、又は、特別図柄制御に係る当たりと判定される条件が満たされたら、変更前のテーブルに戻すよう指示する処理情報を生成するようにしてもよい。すなわち、本発明においては、前記特典遊技状態の形態には拘らない。
【００９９】
『普通図柄制御処理』
前記普通図柄制御処理は、遊技者にとって有利な遊技状態とする処理であり、所定通過口３８近傍に設けられた通過球検知センサ４７ｄからの入力情報を受信するのに応じて電子的な当否抽選を行い、当選の場合に前記特定入賞口２の入口両側に設けた可動片４４を拡大して、その開口範囲を拡大させ、打ち出した遊技球を該特定入賞口２に入り易くする処理である。また、この普通図柄制御処理では、ＬＥＤ表示装置３５で普通図柄と称される識別情報を表示制御する処理も行う。
【０１００】
ここで、普通図柄とは、前記通過球検知センサ４７ｄからの入力情報に応じた当否抽選の結果を可変表示又は点滅表示する所定数の識別情報（例：「○・−」→当選図柄、「−・×」→外れ図柄）である。抽選結果が当選の場合には、所定数の識別情報が予め定められた特定の組み合わせで停止した表示態様（例：「○・−」）となり、これにより、遊技者にとって有利な遊技状態（例えば、小当たり）に移行したことが報知される。係る遊技状態では、通常遊技状態と比較して、打ち出した遊技球が入賞し易い状態が単発的又は連続的に発生する。一方、抽選結果が外れの場合には、所定数の識別情報が、予め定められた特定の組み合わせ以外で停止した表示態様（例：「−・×」）となり、これにより、通常遊技状態が継続していることが報知される。なお、本発明においては、識別情報を表示制御するＬＥＤ表示装置３５の代わりに、前記可変表示装置３４又はドラム式やドットマトリクス式の表示装置等でもよく、表示方法には拘らない。
【０１０１】
また、該普通図柄制御処理では、前記有利な遊技状態とするために、
（ａ）前記特定入賞口２に対して開口範囲を縮小するようにさせていた一対の可動片４４を作動させて該開口範囲を所定時間（例えば、０．２秒）拡大する（特定入賞口２を開放する）処理をし、
（ｂ）その後に元の状態に戻す、
という処理を所定回数（例えば、１回）行わせる指示をする処理情報を生成する。
【０１０２】
『出力管理処理』
前記出力管理処理とは、異常監視処理、特別図柄制御処理、普通図柄制御処理、ランプ管理処理、及び準備球払出処理により生成された処理情報を、副制御装置１４側へ送信するために、出力データを編集し、該処理情報の出力タイミングを通知するためのストローブ（ＳＴＢ）信号を伴わせて、該出力編集した記憶情報を送信する処理である。
【０１０３】
〔副制御装置の動作〕
次に、副制御装置１４の動作について説明する。
【０１０４】
前記副制御装置１４は、電源投入による起動開始時、初期設定を行い、必要確認事項のチェック処理を行う。そして、チェック処理結果が正常であれば、該副制御装置１４におけるメインルーチン処理への移行を許可し、主制御装置１３のＣＰＵ１３ａから送信された記憶情報である主制御起動開始情報等を受信する。
【０１０５】
なお、前記副制御装置１４のメインルーチン処理とは、図柄制御装置１４ａ、ランプ制御装置１４ｂ、音声制御装置１４ｃ、及び払出制御装置１４ｄのそれぞれに備えられたＲＯＭに予め格納された主要な制御プログラムを、周波数発生回路部１３ｄで生成した定期的なタイミングパルス（例えば、４ミリ秒）に合わせて、読み込み更新、又は書き込み記憶、又は該記憶の削除等を含む制御実行処理を繰り返し実行する基本ルーチンのことである。以下、前記副制御装置１４のメインルーチン処理における基本的な処理の一例について説明する。
【０１０６】
始めに、副制御装置１４は、前記出力管理処理にて送信した処理情報を受信したか否かをタイミングパルスに応じて監視し、受信が行われている場合に記憶手段（例えば、ＲＡＭ）に記憶する。次に、副制御装置１４は、該受信した処理情報の解析処理を行い、どのような遊技状態における異常監視処理、特別図柄制御処理、普通図柄制御処理、ランプ管理処理、及び球払出処理のいずれかの処理情報（先行コマンド）で且つ、どのような出力態様を実行させる処理情報（後続コマンド番号）かの判別を行う。
【０１０７】
そして、副制御装置１４は、該解析処理の結果に応じたフラグの設定、及び出力態様に係る制御処理実行時間に基づきカウント演算するタイマを設定し、予め定められた制御プログラムを格納する記憶手段（例えば、ＲＯＭ）から、該解析処理の結果に応じた出力態様用の制御プログラムを読み出して実行する制御処理を行う。
【０１０８】
以下、処理情報を受信した場合の、図柄制御装置１４ａ及び払出制御装置１４ｄの動作について説明する。
【０１０９】
『図柄制御装置の動作』
処理情報が特別図柄制御用の通常遊技状態における当たり又は外れ用の変動パターン番号と、所定の可変表示領域に対し一時的な停止表示（微動表示を含む）をさせる当たり又は外れ用の複数の特別図柄番号（例えば、左・中・右の３つ）であった場合、図柄制御装置１４ａは、特別図柄制御用の通常遊技状態における当否に基づいて予め分類して記憶してある報知演出分類テーブルと、該変動パターン番号とを照合して比較することで当たり又は外れ用の報知演出分類テーブルを決定する。
【０１１０】
そして、図柄制御装置１４ａは、前記決定した報知演出分類テーブルに基づいて、該図柄制御装置１４ａに設けられた演出選択用乱数を更新する乱数発生手段から、前記変動パターン番号の受信に応じ読み出して記憶手段に記憶させた取得乱数との照合による比較により、当たり用の報知演出データ又は外れ用の報知演出データを設定する。
【０１１１】
また、図柄制御装置１４ａは、所定の可変表示領域に対し停止表示を行う複数種類の特別図柄がプログラムされている通常遊技状態用の特別図柄分類テーブルと、該複数の特別図柄番号との個別の照合による比較により、前記可変表示装置３４にて停止表示を行う当たり又は外れ用の複数の特別図柄データのそれぞれを設定する。なお、特別図柄分類テーブルに格納された停止表示用の特別図柄は、一時的な停止を含むようにしてもよい。その後、図柄制御装置１４ａは、ＶＤＰ５０を介する可変表示装置３４にて、該設定した報知演出データと複数の特別図柄データに応じた、可変表示及び停止表示の表示制御を行う。
【０１１２】
なお、図柄制御装置１４ａは、前記変動パターン番号と複数の特別図柄番号の送信又は受信に応じて、カウント演算による更新を行う前記主制御装置１３又は副制御装置１４のタイマによる、表示制御に係る処理実行時間の経過のタイミングに基づいて送信又は受信する確定停止指示番号に従って、可変表示の表示制御が行われた複数の特別図柄に対して停止表示の態様（例えば、左・中・右の並び態様）とする処理を行う。
【０１１３】
また、前記確定停止指示番号の受信時において、大当たり移行指示番号を受信していた場合、図柄制御装置１４ａは、遊技者にとって有利な遊技状態の報知演出データを設定し、前記停止表示の態様とした後に大当たり用の表示制御を行う。なお、該受信情報が、特別図柄制御用の遊技者にとって有利な遊技状態又は特典遊技状態における情報であった場合には、図柄制御装置１４ａは、特別図柄制御に係る前記報知演出分類テーブル又は特別図柄分類テーブルに参照テーブルを変更し、該有利な遊技状態又は特典遊技状態の時に行う可変表示及び停止表示とする当たり又は外れ用の報知演出データ、及び当たり又は外れ用の複数の特別図柄データを設定する。
【０１１４】
また、該受信情報が、普通図柄制御用の通常遊技状態における当たり又は外れ用の変動パターン番号と、当たり又は外れ用の普通図柄番号であった場合には、図柄制御装置１４ａは、普通図柄制御用の通常遊技状態における遊技状態に応じて予め分類して記憶してある点滅演出分類テーブルと、該変動パターン番号とを照合して比較することで、当たり又は外れ用の変動表示データを設定する。
【０１１５】
また、図柄制御装置１４ａは、所定の点滅表示領域に対し停止表示させる普通図柄がプログラムされている通常遊技状態用の普通図柄分類テーブルと、該普通図柄番号との照合による比較により、前記ＬＥＤ表示装置３５にて停止表示させる当たり又は外れ用の普通図柄データを設定する。
【０１１６】
なお、図柄制御装置１４ａは、前記変動パターン番号と普通図柄番号の送信又は受信に応じて、カウント演算による更新を行う主制御装置１３又は副制御装置１４のタイマによる、表示制御に係る処理実行時間の経過のタイミングに基づいて送信又は受信する確定停止指示番号に従って、点滅表示の表示制御が行われた普通図柄に対して停止表示の態様（例えば、「○・−」、又は「−・×」の点灯態様）とする処理を行う。
【０１１７】
また、前記確定停止指示番号の受信時において、小当たり移行指示番号を受信した場合は、図柄制御装置１４ａは、遊技者にとって有利な遊技となる状態の点滅演出データを設定し、前記停止表示の態様とした後に小当たり用の表示制御を行う。
【０１１８】
また、該受信情報が、特典遊技状態における記憶情報であった場合には、図柄制御装置１４ａは、普通図柄制御に係る前記点滅演出分類テーブル又は特別図柄分類テーブルが参照するテーブルの変更を行い、該特典遊技状態の時に行う点滅表示する当たり又は外れ用の点滅演出データ、及び当たり又は外れ用の複数の特別図柄データを設定する。
【０１１９】
本実施形態では、通常大当たり時の識別情報（左・中・右の３つの図柄）の停止配列パターン（第３当選表示）として、「２」「２」「２」，「４」「４」「４」，「６」「６」「６」，「８」「８」「８」の４種類が設定され、通常確変大当たり時の停止配列パターン（第３当選表示）として、「１」「１」「１」，「３」「３」「３」，「５」「５」「５」，「７」「７」「７」，「Ａ」「Ａ」「Ａ」，「Ｂ」「Ｂ」「Ｂ」，「Ｃ」「Ｃ」「Ｃ」の７種類が設定され、通常遊技状態における突然確変大当たり時の停止配列パターン（第１当選表示）として「Ａ」「１」「３」の１種類が設定され、特典遊技状態における突然確変大当たり時の停止配列パターン（第２当選表示）として「３」「７」「Ａ」，「３」「Ａ」「７」，「７」「３」「Ａ」，「７」「Ａ」「３」，「Ａ」「３」「７」，「Ａ」「７」「３」の６種類が設定されている。
【０１２０】
すなわち、上記第３当選表示は、順列の定まった英数字若しくは記号等からなる複数種類の図柄において、複数の同じ図柄が並ぶ（例えば、「７」「７」「７」）停止配列の表示であり、上記第１当選表示は、上記第３当選表示以外の停止配列であって、予め定めた１種類の複数図柄が並ぶ（「Ａ」「１」「３」）停止配列の表示であり、上記第２当選表示は、上記第１当選表示及び第３当選表示とは異なり、且つ上記順列に従わない複数図柄の並びの停止配列であって、その停止配列を構成する図柄はそのままに、該図柄位置の並びが互いに異なるよう複数パターン化（例えば、「Ａ」「３」「７」、「３」「Ａ」「７」、「３」「７」「Ａ」・・・）された複数の停止配列の何れか１つを抽選で選択した表示である。また、非当選を示す外れ表示は、上記第１当選表示、第２当選表示、及び第３当選表示の何れとも異り、且つ上記順列に従わない複数の図柄の並びの停止配列である。なお、上記第３当選表示については、「１」「２」「３」のように、上記順列に従って複数の図柄が並ぶ停止配列の表示であってもよい。
【０１２１】
従って、第１当選表示及び第２当選表示は、突然確変大当たりの発生を示す明確な演出表示が行われない限り、外れ表示との判別が難しく、且つ、第２当選表示は、第１当選表示よりもさらに外れ表示との判別が難しくなっている。
【０１２２】
この点に関し、通常遊技状態における突然確変大当たり時の報知演出データとして、図６に示すように、対応する停止図柄「Ａ」「１」「３」と「確変大当たり」という文字とを表示させるデータが設定されている。この「確変大当たり」という文字を表示させる演出により、通常遊技状態での遊技を実行している遊技者は、突然確変大当たりの発生を容易に認識することができる。
【０１２３】
一方、特典遊技状態における突然確変大当たり時の報知演出データとして、図７〜図１０に示す画像を表示させるデータが設定されている。本実施形態では、対応する所定の図柄（例えば「３」「７」「Ａ」）を停止表示し（図７に示す）、その図柄を消した後、人物（キャラクター）の後ろ姿を表示し（図８に示す）、その人物が振り向いて正面を向く（図９及び図１０に示す）という一連の動作（一連のモーション表示）を順次表示されるデータが設定されている。なお、以下の説明において、図８〜図１０に示すような人物が振り向くという一連の動作の表示を第２演出表示と称する。
【０１２４】
そして、図６や図７〜図１０の表示制御が実行されている間に、特別入賞口３の可動扉４５が連続的に２回開放される。
【０１２５】
具体的には、第２当選状態（突然確変大当たり状態）への移行開始時における特別入賞口（アタッカー）３の最初の開放タイミング（可動扉４５の最初の開放タイミング）で、キャラクター表示における一連のモーション表示の初動作を実行させ、第２当選状態の移行終了時となる特別入賞口３の最終の閉鎖タイミング（可動扉４５の最後の閉鎖タイミング）で、該モーション表示の完了動作を実行させる、いわゆるアイキャッチ表示を行う。
【０１２６】
これにより、第２当選状態となる特別入賞口３の開閉処理の期間中において、遊技者の注意を積極的に図柄表示画面に向けさせて、特別入賞口３の開閉動作が実行されたことを気がつき難くしている。
【０１２７】
これに対し、第１演出表示は、第２当選状態（突然確変大当たり状態）の発生を文字表示等によって積極的に報知することにより、通常遊技状態から特典遊技状態へ移行することを積極的にアピールしている。
【０１２８】
このように、通常遊技状態から突然確変大当たりが生起されるときは、突然確変大当たり状態の実行中に、突然確変大当たり状態の生起を連想させる「確変大当たり」の文字が可変表示装置３４に表示される。これに対し、特典遊技状態から突然確変大当たり遊技状態が生起されるときは、突然確変大当たり状態の実行中に、突然確変大当たり状態の生起を連想させる文字は表示されず、人物が振り向くという一連のモーション表示が表示される。
【０１２９】
さらに、当たり又は外れ用の報知演出データは、いわゆるリーチ発生時の図柄変動開始から図柄停止までの間に実行されるリーチ予告演出データを含み、このリーチ予告演出データは、上記第２演出表示と同じ内容（図８〜図１０に示すように人物が振り向く一連のモーション表示）を表示させるデータを含んでいる。
【０１３０】
『払出制御装置の動作』
該受信情報が、特別図柄制御用の通常遊技状態における特定入賞球検知センサ４７ａからの賞球処理情報、又は、特別図柄制御用の遊技者にとって有利な遊技状態における特別入賞球検知センサ４７ｂからの賞球処理情報等の記憶情報であった場合には、払出制御装置１４ｄは、遊技球払出装置１５を作動させて該記憶情報に応じた賞球個数とするための払出データテーブルに基づいて払出データを設定し、該設定に応じた賞球となるように所定数の遊技球を遊技者に対して払い出す。
【０１３１】
なお、該受信情報が、特別図柄制御用の遊技者にとって有利な遊技状態又は特典遊技状態における特定入賞球検知センサ４７ａからの賞球処理情報となる記憶情報であった場合には、払出制御装置１４ｄは、遊技球払出装置１５を作動させて通常遊技状態時と比較して増加又は減少のいずれかとなる賞球個数とする払出データテーブルへと変更し、該変更された払出データテーブルに基づいて払出データを設定し、該設定に応じた増加又は減少とする賞球となるように所定数の遊技球を遊技者に対して払い出す。
【０１３２】
さらに、球貸信号制御装置１６を介したボタン操作により、ＣＲユニット１で読んだプリペイドカードのデータ情報を参照して、所定数の貸球を払い出す制御を行わせる場合には、払出制御装置１４ｄは、該参照したデータ情報を受信して該データ情報に応じた貸球個数とするための払出データテーブルに基づいて払出データを設定し、該設定に応じた賞球となるように所定数の遊技球を遊技者に対して払い出す。
【０１３３】
〔可動物制御装置の動作〕
次に、可動物制御装置１７の動作のうち、可動扉駆動装置及び入賞領域振分駆動装置の動作について説明する。
【０１３４】
『可動片駆動装置の動作』
主制御装置１３による処理において、普通図柄制御用の通常遊技状態における小当たり移行指示番号を生成するのに応じて、前記可動片駆動装置は、前記特定入賞口２の開口範囲を縮小させていた一対の可動片４４を所定時間（例えば、０．２秒）拡大し、その後再び縮小するように、前記可動片駆動装置に設けられたソレノイド等の駆動部に対して所定電圧（例えば、１２Ｖ）を印加する拡大実行処理を所定回数（例えば、１回）行うよう指示するためのコマンドを生成する。
【０１３５】
また、主制御装置１３による処理において、普通図柄制御用の遊技者にとって有利な遊技状態又は特典遊技状態における小当たり移行指示指示番号を生成した場合には、前記可動片駆動装置は、前記特定入賞口２に対して開口範囲を縮小させていた一対の可動片４４を０．２秒から１．７秒へと長くして拡大して再び縮小するように、可動片駆動装置に設けられたソレノイド等の駆動部に対して所定電圧を送電し、また、拡大実行処理を例えば１回から２回へと多くして行う指示をするコマンドを生成する。
【０１３６】
さらに、主制御装置１３による処理において、ランプ管理制御又は賞球払出制御等からなる処理情報を生成するのに応じて、前記可動片駆動装置が、前記演出用移動物駆動装置に設けられたソレノイド等の駆動部に対して所定電圧（例えば、１２Ｖ）を印加し、適宜な変動状態となる演出動作を所定時間行うコマンドを生成する。
【０１３７】
『可動扉駆動装置の動作』
主制御装置１３による処理において、特別図柄制御用の通常遊技状態又は特典遊技状態における通常大当たり遊技状態又は通常確変大当たり遊技状態への大当たり移行指示番号を生成するのに応じて、前記可動扉駆動装置は、前記可動扉駆動装置に設けられたソレノイド等の駆動部に対して所定電圧を送信する。そして、前記可動扉駆動装置は、前記特別入賞口３に対して閉口させていた可動扉４５を作動させて開口状態とし、開口となってから所定時間（例えば、３０秒）経過するか、又は該特別入賞口３に対して所定個数（例えば、１０個）の遊技球を入賞させるかのいずれかの条件を満たしたら、再び閉口状態とする実行処理を行う指示をするコマンドを生成する。
【０１３８】
さらに、前記開口状態中に入賞させた遊技球のいずれかが特別入賞口３内に設けられた入賞特定領域を通過して、入賞特定領域検知センサ４７ｃにて検知されたことを条件として、前記可動扉駆動装置は、可動扉４５を再び閉口状態となるようにし、前記と同様の条件成立時に可動扉４５を開閉することを所定上限回数が達成されるまで繰り返すように、ソレノイド等の駆動部に対して所定電圧を印加指示するコマンドを生成する。
【０１３９】
また、主制御装置１３による処理において、特別図柄制御用の通常遊技状態又は特典遊技状態における突然確変大当たり遊技状態への大当たり移行指示番号を生成するのに応じて、前記可動扉駆動装置は、前記可動扉駆動装置に設けられたソレノイド等の駆動部に対して所定電圧を送信する。そして、前記可動扉駆動装置は、前記特別入賞口３に対して閉口させていた可動扉４５を作動させて開口状態とし、開口となってから所定時間（例えば、０．８秒）経過するとの条件を満たしたら再び閉口状態するという実行処理を２回連続的に行う指示をするコマンドを生成する。
【０１４０】
なお、前記可動扉駆動装置における開閉処理の実行中に、特別図柄制御用の遊技者にとって有利な遊技状態における大当たり移行指示番号が生成された場合には、該開閉処理が終了するまで、大当たり移行指示番号の生成に基づく制御処理は行われずに保留状態とする。
【０１４１】
『入賞領域振分駆動装置の動作』
主制御装置１３による処理において、特別図柄制御用の通常遊技状態又は特典遊技状態における通常大当たり遊技状態又は通常確変大当たり遊技状態への大当たり移行指示番号を生成し、前記特別入賞口３を開口状態とするコマンドを生成するのに応じて、入賞領域振分駆動装置は、前記特別入賞口３内にある入賞領域振分物に設けられたソレノイド等の駆動物に対して所定電圧（例えば、１２Ｖ）を印加し、特定入賞領域振分のシーソー運動となるように該開口状態中において可動させるコマンドを生成する。
【０１４２】
以上説明したように、本実施形態では、通常遊技状態から突然確変大当たり遊技状態が生起されるときは、可動扉４５の開閉を含む突然確変大当たり状態の実行中に、突然確変大当たり状態の生起を連想させる「確変大当たり」の文字が可変表示装置３４に表示される。従って、通常遊技を行っていた遊技者は、可変表示装置３４の表示を視ることによって、突然確変大当たり遊技状態が生起されて特典遊技状態へ移行することを容易に認識することができる。
【０１４３】
一方、特典遊技状態から突然確変大当たり遊技状態が生起されるときは、可動扉４５の開閉を含む突然確変大当たり状態の実行中に、突然確変大当たり状態の生起を連想させる文字は表示されず、人物が振り向く一連の動作を表す図柄（アイキャッチ表示）が可変表示装置３４に表示される。従って、特典遊技を行っていた遊技者は、可変表示装置３４を視ても突然確変大当たり遊技状態が生起されたこと、及びこれに伴って特別入賞口３の開閉処理が行われたことに容易に気づかず、場合によっては、遊技者に対して、特典遊技状態が単に継続して行われているとの錯覚を与える。
【０１４４】
従って、特典遊技状態から突然確変大当たり遊技状態が生起された時に、遊技者に対して喪失感を与えてしまうことを軽減することができる。
【０１４５】
なお、前述したモーション表示の変動に合わせて、音声又は発光の少なくとも一方をメリハリのある強調的な駆動をさせて、遊技者の意識の分散化を図り、より特別入賞口３の開閉処理が行われたことを気づき難くさせるようにしてもよい。
【０１４６】
また、人形等を模した可動装置を別途設け、可変表示装置３４における一連のモーション表示に代えて又は加えて、可動装置によって人形が振り向く一連の動作を実行してもよい。
【０１４７】
また、特典遊技状態から突然確変大当たり遊技状態が生起されるときに可変表示装置３４に表示される図柄の停止配列パターン（第２の配列パターン）の種類は、通常遊技状態から突然確変大当たり遊技状態が生起されるときに可変表示装置３４に表示される図柄の停止配列パターン（第１の配列パターン）の種類よりも多く設定されている。このため、遊技者にとって、第２の配列パターンの図柄と突然確変大当たりとを結び付けることは、第１の配列パターンの図柄と突然確変大当たりとを結び付けることに比べて難しく、第２の配列パターンの図柄が直ぐに突然確変大当たり遊技状態の生起を認識させない可能性が高い。
【０１４８】
従って、特典遊技状態から突然確変大当たり遊技状態が生起された時に、遊技者に対して喪失感を与えてしまうことをさらに軽減することができる。
【０１４９】
さらに、遊技者は、第２演出表示を視た際にリーチ予告演出と錯覚し易いため、特典遊技状態から突然確変大当たり遊技状態が生起された時に、遊技者に対して喪失感を与えてしまうことをさらに軽減することができる。
【０１５０】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【図面の簡単な説明】
【０１５１】
【図１】本発明の実施形態となる遊技機の外観斜視図である。
【図２】図１に示す遊技機の背面図である。
【図３】図１に示す遊技機の前面斜視図ある。
【図４】図１に示す遊技機の分解斜視図である。
【図５】図１に示す遊技機の電気的構成を示すブロック図である。
【図６】通常遊技状態における突然確変大当たり時の表示画像を模式的に示す図ある。
【図７】特典遊技状態における突然確変大当たり時の表示画像を模式的に示す図ある。
【図８】特典遊技状態における突然確変大当たり時の表示画像を模式的に示す図ある。
【図９】特典遊技状態における突然確変大当たり時の表示画像を模式的に示す図ある。
【図１０】特典遊技状態における突然確変大当たり時の表示画像を模式的に示す図ある。
【符号の説明】
【０１５２】
３…特別入賞口（大入賞口）、７…遊技盤、１３…主制御装置、１３ａ…ＣＰＵ、１３ｂ…ＲＯＭ、１３ｃ…ＲＡＭ、１４…副制御装置、１４ａ…図柄制御装置、１７…可動物制御装置、３１…遊技領域、３４…可変表示装置、４５…可動扉
【図１】
2007151898.tif 000003
【図２】
2007151898.tif 000004
【図３】
2007151898.tif 000005
【図４】
2007151898.tif 000006
【図５】
2007151898.tif 000007
【図６】
2007151898.tif 000008
【図７】
2007151898.tif 000009
【図８】
2007151898.tif 000010
【図９】
2007151898.tif 000011
【図１０】
2007151898.tif 000012